(57)【要約】【課題】従来のかご形電動機は開放形で筒状ケース体に外気導入孔を形成するもので全閉型のかご形電動機に採用できなかった実情を鑑み、全閉型の高効率のかご形電動機を提供すること。【解決手段】  筒状ケース２内の軸４における回転子１の前方に循環ファン５を装着し、循環ファン５により生じる循環風を回転子１の軸４の長さ方向に貫通形成した回転子側循環通路１５から固定子３の外周と筒状ケース２のケース本体２１との間に形成した軸の長さ方向に延びる固定子側循環通路３５を通して循環させ、冷却ファン７によりカバー体６に形成した外気取り入れ口６２から取り入れた外気を冷却パイプ８に導入して冷却パイプ８の外周に配置した固定子側循環通路３５を通過する循環風と外気とを熱交換して固定子１を冷却する。【選択図】図１
2015208101.tif 000002
【特許請求の範囲】
【請求項１】
固定子鉄心に形成したスロットに巻線を嵌め込んで形成した円筒形の中空部を有する固定子を筒状のケース本体とその両端に配置したブラケットからなる全閉形とした筒状ケース内の所定位置に配置し、固定した鉄心のスロットに回転子導体を差し込みその両端を短絡線で結線してかご形にした回転子を前記両ブラケット間に支持された軸に固着して前記固定子の前記中空部に回転可能に配置するとともに、前記筒状ケース内の前記軸における前記回転子の前方に循環ファンを装着し、前記循環ファンにより生じる循環風を前記回転子の前記軸の長さ方向に貫通形成した回転子側循環通路から前記固定子の外周と前記筒状ケースのケース本体との間に形成された前記軸の長さ方向に延びる固定子側循環通路を通して循環させるとともに、前記軸には筒状ケースの外側前方に被冠したカバー体により形成される冷却ファン用中空部内において前記軸に冷却ファンが装着され、且つ前記筒状ケースの前記固定子側循環通路に前記冷却ファン用中空部から前記後方のブラケットに貫通する冷却パイプが前記軸方向に配置され、前記冷却ファンによりカバー体に形成した外気取り入れ口から取り入れた外気を前記冷却パイプに導入して前記冷却パイプの外周に配置される前記固定子側循環通路を通過する循環風と前記外気とを熱交換して前記固定子を冷却するようにしたことを特徴とするかご形電動機。
【請求項２】
前記回転子側循環通路が回転子の軸部取り付け孔に沿って形成されていることを特徴とする請求項１記載のかご形電動機。
【発明の詳細な説明】
【技術分野】
【０００１】
本発明は、かご形電動機に関するものである。
【背景技術】
【０００２】
従来、簡単な構造で取り扱いが容易な電動機としてかご形電動機が知られている。
【０００３】
このかご形電動機は、例えば図３および図４に示すように、薄い珪素鋼板を打ち抜いて形成したドーナツ形の鉄心３１を積層して固定子鉄心３２を形成し、この固定子鉄心３２に形成したスロット３３に巻線３４を嵌め込んで形成した固定子３が筒状ケース２を形成するケース本体２１内の所定位置に配置されるとともに、薄い珪素鋼板を打ち抜いて形成した鉄心１１を積層した回転子鉄心１２のスロット１３に銅またはアルミニウム棒からなる回転子導体１４を差し込みその両端を短絡線で結線してかご形にした回転子１を装着した軸４を、前記ケース本体２１の両端に配置したブラケット２２，２３間に軸支して架設したものが知られている。
【０００４】
そして、前記従来のかご形電動機は、周面が円形の固定子３をケース本体２１の内側に配置しており、回転子１における軸４の鉄心１１の前方位置に装着した冷却ファン７が、冷却用の外気を筒状ケース２のブラケット２２に形成した外気取入口２６から取り入れるとともに、前記ケース本体２１、前記固定子３の外周面に形成される冷却通路２７を通過させて、前記筒状ケース２の後方に位置するブラケット２３に形成した排出口２８から放出することにより、前記回転子１の冷却を行うものであった。
【０００５】
また、特開２０００−１８４６５７号公報に、固定子鉄心の外周面に、回転子の軸線方向へ延びるとともに固定子鉄心の両端面に露出する多数の溝が並設されて歯車状に形成されており、これらの溝が冷却通路を形成するという、更に冷却効率を向上させたかご形電動機が提案されている。
【先行技術文献】
【特許文献】
【０００６】
【特許文献１】特開２０００−１８４６５７号公報
【発明の概要】
【発明が解決しようとする課題】
【０００７】
ところが、前記従来のかご形電動機は開放形であり、筒状ケース体に外気導入孔を形成するものであり、全閉型のかご形電動機には採用できないものであった。
【０００８】
本発明は、このような実情に鑑みてなされたものであり全閉型の高効率のかご形電動機を提供することを課題とするものである。
【課題を解決するための手段】
【０００９】
前記課題を解決するためなされた本発明は、固定子鉄心に形成したスロットに巻線を嵌め込んで形成した円筒形の中空部を有する固定子を筒状のケース本体とその両端に配置したブラケットからなる全閉形とした筒状ケース内の所定位置に配置し、固定した鉄心のスロットに回転子導体を差し込みその両端を短絡線で結線してかご形にした回転子を前記両ブラケット間に支持された軸に固着して前記固定子の前記中空部に回転可能に配置するとともに、前記筒状ケース内の前記軸における前記回転子の前方に循環ファンを装着し、前記循環ファンにより生じる循環風を前記回転子の前記軸の長さ方向に貫通形成した回転子側循環通路から前記固定子の外周と前記筒状ケースのケース本体との間に形成された前記軸の長さ方向に延びる固定子側循環通路を通して循環させるとともに、前記軸には筒状ケースの外側前方に被冠したカバー体により形成される冷却ファン用中空部内において前記軸に冷却ファンが装着され、且つ前記筒状ケースの前記固定子側循環通路に前記冷却ファン用中空部から前記後方のブラケットに貫通する冷却パイプが前記軸方向に配置され、前記冷却ファンによりカバー体に形成した外気取り入れ口から取り入れた外気を前記冷却パイプに導入して前記冷却パイプの外周に配置される前記固定子側循環通路を通過する循環風と前記外気とを熱交換して前記固定子を冷却するようにしたことを特徴とする。
【００１０】
また、本発明において、前記回転子側循環通路が回転子の軸部取り付け孔に沿って形成されている場合には筒状ケース内で循環風を効率良く循環させることができる。
【発明の効果】
【００１１】
本発明によれば、全閉型のかご形電動機において外気を利用した冷却を可能にすることで高効率とすることを可能とした。
【図面の簡単な説明】
【００１２】
【図１】本発明の好ましい実施の形態を示す縦断面図。
【図２】図１に示した実施の形態の異なる方向の縦断面図。
【図３】従来例を示す部分断面斜視図。
【図４】図３に示した従来例の縦断面図。
【発明を実施するための形態】
【００１３】
以下、図面を参照して本発明に係る実施の形態のかご形電動機について説明する。
【００１４】
図１および図２は本発明の好ましい実施の形態を示すものであり、固定子鉄心３２に形成したスロット３３に巻線３４を嵌め込んで形成した円筒形の中空部を有する固定子３を外周に複数条の放熱フィン２９を立設させたフレームを兼ねる筒状のケース本体２１とその両端に配置したブラケット２２，２３とからなる全閉形とした筒状ケース２内の所定位置に配置されている。
【００１５】
また、固定した鉄心１１のスロット１３に回転子導体１４を差し込みその両端を短絡線１６で結線してかご形にした回転子１を前記両ブラケット２２，２３間に回転軸受２４，２５により回転可能に支持された軸４に固着して固定子３の中空部に回転可能に配置されている。
【００１６】
さらに、前記筒状ケース２内の前記軸４における前記回転子１の前方に循環ファン５を装着している。
【００１７】
加えて、回転子１の軸部取り付け孔１８に沿って回転子側循環通路１５が軸４の長さ方向に形成されているとともに、筒状ケース２のケース本体２１と固定子３の外周との間に前記軸４の長さ方向に延びる固定子側循環通路３５が形成されており、循環ファン５により生じる循環風（図示する黒矢印）が全閉型の筒状ケース２内を前記固定子側循環通路３５から回転子側循環通路１５へと循環する。
【００１８】
さらにまた、本実施の形態は、前記筒状ケース２の外側前方にカバー体６が被冠されて冷却ファン用中空部６１が形成されているとともにこのカバー体６の冷却ファン用中空部６１に突出させた前記軸４に冷却ファン７が装着され、且つ前記筒状ケース２の前記固定子側循環通路３５に前記冷却ファン用中空部６１から前記後方のブラケット２２に貫通する冷却パイプ８が前記軸４の長さ方向に向けて配置され、前記冷却ファン７によりカバー体６に形成した外気取り入れ口６２から取り入れた外気を前記冷却パイプ８に導入して前記冷却パイプ８の外周に配置される前記固定子側循環通路３５を通過する循環風（図示する黒矢印）と前記冷却パイプ８を流れる外気（図示する白矢印）とを熱交換して前記固定子３を冷却するものである。
【００１９】
尚、前記両ブラケット２２，２３の冷却パイプ８が貫通する周囲部分は密封されており、筒状ケース２は全閉型に保たれている。
【００２０】
以上の構成を有する本実施の形態では、全閉型のカバー体６および筒状ケース２内を循環する風によりカバー体６および筒状ケース２内に生じる発熱が効率良く循環することで平均化されるとともに、カバー体６を介し導入され冷却ファン７により送風される外気が前記循環する筒状ケース２内の循環風と冷却パイプを介して効率よく接触して熱交換されることで冷却されるものであり、全閉型でありながら、従来のファンにより外気を導入して冷却効果を高めた開放型のかご形電動機と同様な高効率を発揮させることができるものである。
【００２１】
また、本実施の形態では、冷却ファン７ならびにカバー体６を筒状ケース２の循環ファン５側に設置したので電動機の使用に際して邪魔になることがない。
【００２２】
さらに、本実施の形態では、筒状ケース２内における循環風の循環方向、特に冷却パイプ８を流れる外気と熱交換する部分である固定子側循環通路３５の循環方向がファン取り付け側を上流として、その上で、前記冷却パイプ８の外気の流れる方向に合わせてあるのでさらに熱交換効率、即ち冷却効率が良好となっている。
【００２３】
また、本実施の形態では冷却ファン７を筒状ケース２の外側に被冠する構成としたので、大径の冷却ファンが採用可能であり、優れた冷却効果を発揮させることができるものである。
【符号の説明】
【００２４】
１  回転子、２  筒状ケース、３  固定子、４  軸、５  循環ファン、６  カバー体、７  冷却ファン、８  冷却パイプ、１１  鉄心、１２  回転子鉄心、１３  スロット、１４  回転子導体、１５  回転子側循環通路、１６  短絡線、１８  軸部取り付け孔、２１  ケース本体、２２，２３  ブラケット、２４，２５  回転軸受、２６  外気取入口、２７  冷却通路、２８  排出口、２９  放熱フィン、３１  鉄心、３２  固定子鉄心、３３  スロット、３４  巻線、３５  固定子側循環通路、６１  冷却ファン用中空部、６２  外気取り入れ口
【図１】
2015208101.tif 000003
【図２】
2015208101.tif 000004
【図３】
2015208101.tif 000005
【図４】
2015208101.tif 000006